(57)【要約】【課題】時間を条件として省エネモードから復帰する電源供給制御装置において省エネ効率を高める。【解決手段】装置の状態に基づいて所定の範囲時間を算出する（Ｓ６０３）。起動管理部３１１により通常モードに復帰した際に、所定の範囲時間に自動で実施する必要があるメンテナンス動作があるか否か判断し（Ｓ６０４）、あると判断された場合に前記メンテナンス動作を実行する（Ｓ６０５）。【選択図】図６
2013123842.tif 000002
【特許請求の範囲】
【請求項１】
装置の動作モードとして通常モードと省エネモードとを有する電源供給制御装置であって、
前記通常モードに復帰する処理を行う起動管理手段と、
装置の状態を判断する装置状態判断手段と、
判断された装置の状態に基づいて所定の範囲時間を算出する演算手段と、
前記起動管理手段により前記通常モードに復帰した際に、前記所定の範囲時間に自動で実施する必要があるメンテナンス動作があるか否か判断し、あると判断された場合に前記メンテナンス動作を実行する制御手段と、
を有することを特徴とする電源供給制御装置。
【請求項２】
前記所定の範囲時間は、装置の放置時間に応じて実施されるメンテナンス動作の内、最後に実施された放置後メンテナンス動作により求められることを特徴とする請求項１記載の電源供給制御装置。
【請求項３】
前記放置後メンテナンス動作は、複数種類の動作を含み、
前記所定の範囲時間は、前記放置後メンテナンス動作のトータルカウント回数から求められることを特徴とする請求項２記載の電源供給制御装置。
【請求項４】
前記所定の範囲時間は、放置後メンテナンス動作の連続実施回数から求められることを特徴とする請求項２又は３記載の電源供給制御装置。
【請求項５】
動作モードとして通常モードと省エネモードとを有する装置の電源供給制御方法であって、
前記通常モードに復帰する処理を行う起動管理工程と、
装置の状態を判断する装置状態判断工程と、
判断された装置の状態に基づいて所定の範囲時間を算出する演算工程と、
前記起動管理工程により前記通常モードに復帰した際に、前記所定の範囲時間に自動で実施する必要があるメンテナンス動作があるか否か判断し、あると判断された場合に前記メンテナンス動作を実行する制御工程と、
を含むことを特徴とする電源供給制御方法。
【発明の詳細な説明】
【技術分野】
【０００１】
本発明は、電源供給制御装置及び方法に関し、特に、時間を条件として省エネモードから復帰する装置に関する。
【背景技術】
【０００２】
近年、画像形成装置を含むあらゆる製品において、画像形成など通常の動作が可能な「通常モード」と、通常モードよりも低い消費電力で動作させる「省エネモード」を備え、待機時間中は省エネモードで動作させて消費電力を低減することが行われている。省エネモードの制御に関する技術分野においては、省エネ効率を高めることが重要な課題の一つである。
【０００３】
特許文献１には、省エネ効率を高める目的で、画像形成装置が自動的に自らが省エネ状態でいられる時間を判断し、その時間、省エネ状態に移行する構成が開示されている。しかしながら、省エネモードへの移行及び復帰が頻繁に繰り返されると、省エネ効率が低くなる可能性がある。
【０００４】
「省エネモード」の具体的な実装方法の一つとして、製品全体をいくつかのブロックに分け、待機時間中使用しないブロックへの電源供給を止めてしまうというものがある。しかしながら、電子機器の中には頻繁に電源供給の停止及び再開が繰り返されると故障しやすくなるものもある。特許文献２には、そのような事情に鑑みて、最小限必要な電源供給の停止から再開までの時間の長さを、ユーザ環境に合わせて動的に調節しようとする技術が開示されている。
【発明の概要】
【発明が解決しようとする課題】
【０００５】
画像形成装置では、省エネモードから復帰する条件として時間を使用しているものがある。これは、通常モードから省エネモードへ移行する際に、通常モードへ復帰する時間を設定し、設定した時間に通常モードへ復帰し処理（例えば定期メンテナンス）を実施するものである。
【０００６】
しかしながら、従来の時間を条件として省エネモードから復帰する装置では、設定された時間に省エネモードから復帰するという制御のみであった。具体的に説明すると、省エネモードから復帰している必要のある時間Ａ、時間Ｂがあった場合に、時間Ａ、時間Ｂ共に時間になったら省エネモードから復帰し、処理を行い、省エネモードに移行する制御となっていた。そのため、時間Ａ、時間Ｂが近い場合には省エネモードへの移行、復帰処理が短時間に繰り返され「省エネ効率が低い」という問題があった。
【０００７】
そこで本発明は、上記実情に鑑みて、時間を条件として省エネモードから復帰する電源供給制御装置において省エネ効率を高めることを目的とする。
【課題を解決するための手段】
【０００８】
上記目的を達成するために本発明は、第１の発明として、装置の動作モードとして通常モードと省エネモードとを有する電源供給制御装置であって、前記通常モードに復帰する処理を行う起動管理手段と、装置の状態を判断する装置状態判断手段と、判断された装置の状態に基づいて所定の範囲時間を算出する演算手段と、前記起動管理手段により前記通常モードに復帰した際に、前記所定の範囲時間に自動で実施する必要があるメンテナンス動作があるか否か判断し、あると判断された場合に前記メンテナンス動作を実行する制御手段と、を有することを特徴とする電源供給制御装置を提供する。
【０００９】
また、第２の発明として、動作モードとして通常モードと省エネモードとを有する装置の電源供給制御方法であって、前記通常モードに復帰する処理を行う起動管理工程と、装置の状態を判断する装置状態判断工程と、判断された装置の状態に基づいて所定の範囲時間を算出する演算工程と、前記起動管理工程により前記通常モードに復帰した際に、前記所定の範囲時間に自動で実施する必要があるメンテナンス動作があるか否か判断し、あると判断された場合に前記メンテナンス動作を実行する制御工程と、を含むことを特徴とする電源供給制御方法を提供する。
【発明の効果】
【００１０】
本発明によれば、時間を条件として省エネモードから復帰する電源供給制御装置において省エネ効率を高めることが可能となる。
【図面の簡単な説明】
【００１１】
【図１】本発明の実施形態のネットワーク構成を示す図である。
【図２】図１の画像形成装置１０２の機能的構成を示すブロック図である。
【図３】図２の情報記憶部３０９に記憶される「放置後メンテナンス履歴」を説明するための図である。
【図４】図２の印刷装置２０３の要部の構成例を示す図である。
【図５】実施形態１における省エネモード移行／復帰手順を示す図である。
【図６】実施形態１における省エネモード移行後の処理手順を示す図である。
【図７】実施形態１における放置後のメンテナンス処理手順を示す図である。
【図８】実施形態１における放置後のメンテナンス実施手順を示す図である。
【図９】実施形態１における範囲時間の計算処理手順を示す図である。
【図１０】実施形態２における範囲時間の計算処理手順を示す図である。
【図１１】実施形態３における範囲時間の計算処理手順を示す図である。
【発明を実施するための形態】
【００１２】
以下、本発明の実施形態について図面を参照しながら説明する。下記実施形態は、本発明の技術的思想を画像形成装置に適用した場合の好適な形態である。まず、下記の各実施形態に共通する構成について説明する。
【００１３】
図１に、本実施形態のネットワーク構成を示す。図示のように、このシステムでは、複数のＰＣ（パーソナルコンピュータ）１０１と画像形成装置１０２がネットワーク１０３または、ＵＳＢケーブル１０４を介して通信可能に接続されている。各ＰＣ１０１にて作成または処理された印刷データは、ネットワーク１０３またはＵＳＢケーブル１０４を介して画像形成装置１０２に送信され、印刷される。
【００１４】
ネットワーク１０３上には、ＰＣ１０１、画像形成装置１０２の内部時計を、ネットワーク１０３を介して正しく調整するＮＴＰ（Ｎｅｔｗｏｒｋ  Ｔｉｍｅ  Ｐｒｏｔｏｃｏｌ）または、ＳＮＴＰサーバ１０５が通信可能に接続されている。なお、本実施形態では、プリンタ機能のみを持つ画像形成装置について記載するが、プリンタ、ファックス、スキャナ、コピー機能を持つ複合型画像形成装置であってもよい。
【００１５】
図２に、画像形成装置１０２の機能的構成を示す。ハードウェア的観点から記述すると、画像形成装置１０２は、ユーザからの操作を受け付ける、または、印刷データを受け付ける入力装置２０１、パネルなどの表示装置２０２、記録媒体へ印刷を行う印刷装置２０３、装置全般の制御を行う制御装置２０４、パラメータなどの記録を行う記憶装置２０５で構成される。制御装置２０４上には、計時専用のチップであるＲＴＣ（リアルタイムクロック）３１２が実装されている。
【００１６】
一方で、上記ハードウェアを利用したソフトウェアプログラムによる情報処理により実現される機能の観点から記述すると、画像形成装置１０２は、パネルよりユーザからの操作を受け付けるパネル入力部３０１、ネットワーク１０３やＵＳＢケーブル１０４を経由して印刷データを受信するデータ入力部３０２、パネルへ表示を行うパネル表示部３０３、記録媒体へ印刷データを印刷する印刷部３０４、パネルからの入力された内容を判断するパネル入力判断部３０５、通常モードから省エネモードへ移行する待機時間等を算出する演算部３０６、装置の状態が通常モードであるか省エネモードであるか等の判断を行う印刷装置状態判断部３０７、装置を省エネモードへ移行させるなど装置のモードを制御する印刷装置モード制御部３０８、演算部３０５により算出された情報を記録するための情報記憶部３０９、ネットワーク１０３を経由してデータ入力部３０２から送られてきたＮＴＰまたはＳＮＴＰサーバ１０５からの時間情報と制御装置上に実装されているＲＴＣ３１２からの時間情報の管理、及び時間経過を管理する時間管理部３１０、省エネモードへ移行してからの時間を計測し、設定された時間を経過したら通常モードに復帰する起動管理部３１１を備える構成である。
【００１７】
図３に、図２の情報記憶部３０９に記憶される情報の一つである「放置後メンテナンス履歴」を説明するための図を示す。「放置後メンテナンス履歴」は、実施したメンテナンス動作の記録であり、図３に示すような形式で記憶されている。図３では、放置時間を「１日未満」、「１日以上７日未満」、「７日以上」の３つに分類し、それぞれのメンテナンス動作を「インク吐出」、「クリーニング」、「クリーニング強」として記載するが、放置時間の分類、メンテナンス動作の種類はこれに限ったものではない。
【００１８】
なお、図３及び上記説明において、「インク吐出」とは印刷ヘッド４０５（図４参照）からインクを吐出し、印刷ヘッド面を良好に保つためのメンテナンス動作である。また、「クリーニング」とは印刷ヘッド４０５をインク吐出より強力に回復させるメンテナンス動作である。また、「クリーニング強」とは印刷ヘッド４０５をクリーニングより強力に回復させるメンテナンス動作である。
【００１９】
図４に、印刷装置２０３の要部の構成例を示す。印刷装置２０３の基本的な構成要素は、インクを吐出する印刷ヘッド（記録ヘッド）４０５、印刷ヘッド４０５を備えたキャリッジ４０６、キャリッジ４０６を支えるためのガイドロッド４０４、記録媒体４０１を搬送するための搬送ベルト４０２、搬送ベルト４０２を駆動するための搬送ローラ４０３である。
【００２０】
印刷装置２０３の基本的な動作は、キャリッジ４０６をガイドロッド４０４に沿って、記録媒体４０１に対向して走査させ、各色印刷ヘッド４０５からインクを吐出することで、記録媒体４０１上に記録する。キャリッジ４０６の走査毎に搬送ベルト４０２を駆動させ、記録媒体４０１を搬送して記録媒体４０１全体に記録する。なお、図４にはインクジェット方式と呼ばれる画像形成方式のものを例示したが、画像形成方式はこれに限ったものではない。
【００２１】
画像形成装置１０２は、通常モードでの動作中、所定の時間、待機の状態が続くと省エネモードへ移行する。省エネモードへの移行を制御するのは印刷装置モード制御部３０８である。また、パネル入力部３０１の電源ボタンがＯＮされたり省エネモードに入ってから設定された時間が経過したりした場合に起動管理部３１１により省エネモードから復帰する。このような一連の省エネモード移行／復帰の動作を以下、説明する。
図５〜図９は実施形態１の動作を示すフローチャートである。
【００２２】
図５は、省エネモード移行／復帰手順を示したフローチャートである。
Ｓ５０１では、パネル入力部３０１への操作（電源ボタンの押下）により、画像形成装置１０２の電源がＯＮされる。
Ｓ５０２では、待機時間が、情報記憶部３０９に記録されている省エネモード待機時間以上であるかの判断を行い、待機時間以上である場合にはＳ５０３へ、移行時間未満である場合にはＳ５０６へ処理を分岐する。
【００２３】
Ｓ５０３では、画像形成装置１０２の状態が省エネモードであるかの判断を行い、省エネモードである場合にはＳ５０６へ、省エネモードではない場合にはＳ５０４へ処理を分岐する。
Ｓ５０４では、画像形成装置１０２の状態を待機状態から省エネモードへ移行する。
Ｓ５０５では、省エネモードへ移行後、印刷ヘッド４０５、または搬送ベルト４０２を良好に保つために定期的なメンテナンス動作を行う。詳細な処理内容については、図６参照。
Ｓ５０６では、パネル入力部３０１への操作（電源ボタンの押下）が行われたかの判断を行い、押された場合には、省エネモード移行／復帰の処理手順を終了する。押されていない場合には、Ｓ５０２へ処理を分岐する。
【００２４】
図６は、省エネモード移行後の処理手順を示すフローチャートである。
Ｓ６０１では、省エネモードへ移行してからの経過時間が、情報記憶部３０９に記録されているベルト癖取り時間以上であるかの判断を行い、ベルト癖取り時間以上である場合にはＳ６０２へ、時間未満である場合にはＳ６０７へ処理を分岐する。ここで、ベルト癖取り時間とはベルト癖取り動作が開始されるまでの時間であり、ベルト癖取り動作とは搬送ベルト４０２を所定時間毎に動かすことにより、搬送ベルト４０２が長時間放置されることで搬送ベルト４０２が固まることを防止する動作である。
【００２５】
Ｓ６０２では、搬送ベルト４０２を動作させ、ベルト癖取り動作を実施する。
Ｓ６０３では、画像形成装置１０２の状態から範囲時間を計算する。ここで、範囲時間とはベルト癖取り動作とともに実施対象とする、ベルト癖取り完了からの時間である。詳細な処理内容については、図９、図１０、図１１を参照。
【００２６】
Ｓ６０４では、Ｓ６０３にて計算された範囲時間内に、実施する必要があるメンテナンス動作があるかの確認を行い、ある場合にはＳ６０５へ、ない場合にはＳ６０７へ処理を分岐する。
Ｓ６０５では、メンテナンス動作を実施する。
Ｓ６０６では、メンテナンス動作を実施したことを表す実施済みフラグを更新する。
Ｓ６０７では、省エネモードへ移行してからの経過時間が、情報記憶部３０９に記録されている自動メンテナンス時間以上であるかの判断を行い、自動メンテナンス時間以上である場合にはＳ６０８へ、時間未満である場合にはＳ６１０へ処理を分岐する。ここで、自動メンテナンス時間とは印刷ヘッド４０５を良好に保つために、自動で定期的に行われるヘッドメンテナンス動作の間隔である。
【００２７】
Ｓ６０８では、Ｓ６０６で更新した実施済みフラグを参照し、メンテナンス動作が未実施であるかの判断を行い、未実施である場合にはＳ６０９へ、実施済みである場合にはＳ６１０へ処理を分岐する。
Ｓ６０９では、メンテナンス動作を実施する。
Ｓ６１０では、省エネから復帰したかの判断を行い、復帰した場合には省エネモード移行後の処理手順を終了し、復帰していない場合にはＳ６０１へ処理を分岐する。
【００２８】
本実施形態における図６のＳ６０５のメンテナンス動作とＳ６０９のメンテナンス動作とは、ともに放置時間に応じた所定の時間に実施が予定されるヘッドクリーニング（インク吐出、クリーニング、クリーニング強）であるが、Ｓ６０５がＳ６０４で計算される範囲時間内に行うのに対し、Ｓ６０９は範囲時間外に行う点で異なる。前記所定の時間は「自動メンテナンス時間」である。この、画像形成装置１０２に何ら動作をさせず放置させた場合の、放置後のメンテナンス処理及び実施の手順について、図７と図８を参照して説明する。
【００２９】
図７は、放置後のメンテナンス処理手順を示すフローチャートである。
Ｓ７０１では、パネル入力部３０１への操作（電源ボタンの押下）により、画像形成装置１０２の電源がＯＮされる。
Ｓ７０２では、放置時間に応じたメンテナンス動作を実施する。ここで放置時間とは、最後に印刷またはメンテナンス動作により印刷ヘッド４０５からインクが吐出されてからの経過時間である。詳細な処理内容については、図８参照。
【００３０】
Ｓ７０３では、印刷が実施されたかの判断を行い、実施された場合にはＳ７０３へ、実施されていない場合にはＳ７０４へ処理を分岐する。
Ｓ７０４では、メンテナンス動作が実施されたかの判断を行い、実施された場合にはＳ７０５へ、実施されていない場合にはＳ７０６へ処理を分岐する。
【００３１】
Ｓ７０５では、情報記憶部３０９に記録されている放置開始時刻を更新する。
Ｓ７０６では、パネル入力部３０１への操作（電源ボタンの押下）により、画像形成装置１０２の電源がＯＦＦされたかの判断を行い、ＯＦＦされた場合には放置後のメンテナンス処理手順を終了し、ＯＦＦされていない場合にはＳ７０３へ処理を分岐する。
【００３２】
図８は、放置後のメンテナンス実施手順を示すフローチャートである。
Ｓ８０１では、情報記憶部３０９に記録されている放置開始時刻を取得する。
Ｓ８０２では、時間管理部３１０から現在時刻を取得する。
Ｓ８０３では、Ｓ８０１で取得した放置開始時刻と、Ｓ８０２で取得した現在時刻から以下の式を用いて、放置時間を計算する。
放置時間＝現在時刻−放置開始時刻
【００３３】
Ｓ８０４では、Ｓ８０３で計算した放置時間が１日未満か判断し、未満の場合にはＳ８１０へ、未満でない場合にはＳ８０５へ処理を分岐する。
Ｓ８０５では、Ｓ８０３で計算した放置時間が１日以上７日未満であるか判断し、１日以上７日未満の場合にはＳ８０８へ、そうでない場合にはＳ８０６へ処理を分岐する。
Ｓ８０６では、クリーニング強を実施する。ここで、クリーニング強とは印刷ヘッド４０５をクリーニングより強力に回復させるメンテナンス動作である。
Ｓ８０７では、情報記録部３０９に記録されているクリーニング強カウンタを＋１カウントアップする。
【００３４】
Ｓ８０８では、クリーニングを実施する。ここで、クリーニングとは印刷ヘッド４０５をインク吐出より強力に回復させるメンテナンス動作である。
Ｓ８０９では、情報記録部３０９に記録されているクリーニングカウンタを＋１カウントアップする。
Ｓ８１０では、インク吐出を実施する。ここで、インク吐出とは印刷ヘッド４０５からインクを吐出し、印刷ヘッド面を良好に保つためのメンテナンス動作である。
Ｓ８１１では、情報記録部３０９に記録されているインク吐出カウンタを＋１カウントアップする。
Ｓ８１２では、情報記録部３０９に記録されている放置後メンテナンス履歴に実施したメンテナンス動作を記録する。放置後メンテナンス履歴は、情報記憶部３０９に図３に示したような形式で保持される。
【００３５】
図９は、範囲時間の計算処理手順を示すフローチャートである。
Ｓ９０１では、情報記録部３０９に記録されている、放置後メンテナンス履歴の内、最後の実施されたメンテナンス動作情報を取得する。
Ｓ９０２では、Ｓ９０１で取得した放置後メンテナンス履歴がインク吐出であるかの判断を行い、インク吐出である場合にはＳ９０５へ、そうでない場合にはＳ９０３へ処理を分岐する。
Ｓ９０３では、Ｓ９０１で取得した放置後メンテナンス履歴がクリーニングであるかの判断を行い、クリーニングである場合にはＳ９０６へ、そうでない場合にはＳ９０４へ処理を分岐する。
Ｓ９０４では、Ｓ９０１で取得した放置後メンテナンス履歴がクリーニング強であるかの判断を行い、クリーニング強である場合にはＳ９０７へ、そうでない場合にはＳ９０７へ処理を分岐する。
【００３６】
Ｓ９０５では、情報記憶部３０９に記録されている範囲時間を４分に設定する。処理完了後、範囲時間の計算処理手順を終了する。
Ｓ９０６では、情報記録部３０９に記録されている範囲時間を２分に設定する。処理完了後、範囲時間の計算処理手順を終了する。
Ｓ９０７では、情報記録部３０９に記録されている範囲時間を１分に設定する。処理完了後、範囲時間の計算処理手順を終了する。
【００３７】
上記では、メンテナンス動作を「インク吐出」、「クリーニング」、「クリーニング強」の３つに分類し、それぞれの範囲時間を「４分」、「２分」、「１分」として記載するが、メンテナンス動作の分類、範囲時間はこれに限ったものではない。
【００３８】
図５、図６、図７、図８、図９のような処理フローにより、最後に実施された放置後メンテナンス動作に応じて範囲時間を設定することができる。例えば、最後に実施された放置後メンテナンス動作が「クリーニング強」の場合には、範囲時間が短く設定され、時間通りに近いタイミングで自動メンテナンスを実施することができる。これにより、長時間放置された環境下などメンテナンス動作の必要性が高い場合には時間通りにメンテナンスを実施することができる。
【００３９】
それに対して、最後に実施された放置後メンテナンス動作が「インク吐出」の場合には、範囲時間が長く設定され、他の処理と合わせて自動メンテナンスが実施される。これにより、放置時間が短い環境下などメンテナンス動作の必要性が比較的低い場合には省エネ効率を優先させたメンテナンスを実施することができる。結果的に、画像形成装置の状態を考慮しながら、省エネ移行／復帰の回数を低減できるため、省電力効果を向上させることができる。
【００４０】
次に、実施形態２の動作について説明する。本実施形態において、
・省エネモード移行／復帰手順については、図５と同様となる。
・省エネモード移行後の処理手順については、図６と同様となる。
・放置後のメンテナンス処理手順については、図７と同様となる。
・放置後のメンテナンス実施手順については、図８と同様となる。
【００４１】
図１０は、範囲時間の計算処理手順を示したフローチャートである。
Ｓ１００１では、情報記録部３０９に記録されているインク吐出カウンタ、クリーニングカウンタ、クリーニング強カウンタの合計値を計算する。
Ｓ１００２では、Ｓ１００１で算出したカウンタ値の合計が１０回未満であるか判断し、未満である場合には１００５へ、そうでない場合には１００３へ処理を分岐する。
Ｓ１００３では、Ｓ１００１で算出したカウンタ値の合計が１０回以上２０回未満であるか判断し、１０回以上２０回未満である場合にはＳ１００６へ、そうでない場合にはＳ１００４へ処理を分岐する。
Ｓ１００４では、Ｓ１００１で算出したカウンタ値の合計が２０回以上であるか判断し、以上である場合にはＳ１００７へ、そうでない場合にもＳ１００７へ処理を分岐する。
【００４２】
Ｓ１００５では、情報記憶部に記録されている範囲時間を４分に設定する。処理完了後、範囲時間の計算処理手順を終了する。
Ｓ１００６では、情報記憶部に記録されている範囲時間を２分に設定する。処理完了後、範囲時間の計算処理手順を終了する。
Ｓ１００７では、情報記憶部に記録されている範囲時間を１分に設定する。処理完了後、範囲時間の計算処理手順を終了する。
【００４３】
本実施形態では、カウンタ回数を「１０回未満」、「１０回以上２０回未満」、「２０回以上」の３つに分類し、それぞれの範囲時間を「４分」、「２分」、「１分」と設定するが、カウンタ回数の分類、範囲時間はこれに限ったものではない。
【００４４】
図５、図６、図７、図８、図１０のような処理フローにより、放置後メンテナンス動作の回数に応じて範囲時間を設定することができる。例えば、放置後メンテナンス動作の回数が「２０回以上」の場合には範囲時間が短く設定され、時間通りに近いタイミングで自動メンテナンスを実施することができる。これにより、長時間放置されたことが多い環境下などメンテナンス動作の必要性が高い場合には時間通りにメンテナンスを実施することができる。
【００４５】
それに対して、放置後メンテナンス動作の回数が「１０回未満」の場合には、範囲時間が長く設定され、他の処理と合わせて自動メンテナンスが実施される。これにより、長時間放置が比較的少ない環境下などメンテナンス動作の必要性が低い場合には省エネ効率を優先させたメンテナンスを実施することができる。結果的に、画像形成装置の状態を考慮しながら、省エネ移行／復帰の回数を低減できるため、省電力効果を向上させることができる。
【００４６】
次に、実施形態３について説明する。本実施形態において、
・省エネモード移行／復帰手順については、図５と同様となる。
・省エネモード移行後の処理手順については、図６と同様となる。
・放置後のメンテナンス処理手順については、図７と同様となる。
・放置後のメンテナンス実施手順については、図８と同様となる。
【００４７】
図１１は、範囲時間の計算処理手順を示したフローチャートである。
Ｓ１１０１では、情報記憶部３０９に記録されている、放置後メンテナンス履歴の内、最後に実施されたメンテナンス動作情報を取得する。
Ｓ１１０２では、情報記憶部３０９に記録されている、放置後メンテナンス履歴をＳ１１０３ですべて取得しているかの判断を行い、取得している場合にはＳ１１０６へ、取得していない場合にはＳ１１０３へ処理を分岐する。
【００４８】
Ｓ１１０３では、情報記憶部３０９に記録されている、放置後メンテナンス履歴の内、最後に実施されたメンテナンス動作情報から順に未取得のものを１つ取得する。
Ｓ１１０４では、Ｓ１１０１と、Ｓ１１０３で取得した放置後メンテナンス履歴を比較し、メンテナンス動作の種類が同じであるかの判断を行い、同じ場合にはＳ１１０５へ、違う場合にはＳ１１０６へ処理を分岐する。
１１０５では、情報記憶部３０９に記録されている連続実施カウンタを＋１カウントアップする。
【００４９】
Ｓ１１０６では、Ｓ１１０１で取得した放置後メンテナンス履歴がインク吐出であるかの判断を行い、インク吐出である場合にはＳ１１０９へ、そうでない場合にはＳ１１０７へ処理を分岐する。
Ｓ１１０７では、Ｓ１１０１で取得した放置後メンテナンス履歴がクリーニングであるかの判断を行い、クリーニングである場合にはＳ１１１５へ、そうでない場合にはＳ１１０８へ処理を分岐する。
Ｓ１１０８では、Ｓ１１０１で取得した放置後メンテナンス履歴がクリーニング強であるかの判断を行い、クリーニング強である場合にはＳ１１２１へ、そうでない場合にはＳ１１２１へ処理を分岐する。
【００５０】
Ｓ１１０９では、Ｓ１１０５で更新した連続実施カウンタが１０回未満であるかの判断を行い、１０回未満である場合にはＳ１１１２へ、そうでない場合にはＳ１１１０へ処理を分岐する。
Ｓ１１１０では、Ｓ１１０５で更新した連続実施カウンタが１０回以上２０回未満であるかの判断を行い、１０回以上２０回未満である場合にはＳ１１１３へ、そうでない場合にはＳ１１１１へ処理を分岐する。
Ｓ１１１１では、Ｓ１１０５で更新した連続実施カウンタが２０回以上であるかの判断を行い、２０回以上である場合にはＳ１１１４へ、そうでない場合にもＳ１１１４へ処理を分岐する。
【００５１】
Ｓ１１１２では、情報記憶部３０９に記録されている範囲時間を４分に設定する。処理完了後、範囲時間の計算処理手順を終了する。
Ｓ１１１３では、情報記憶部３０９に記録されている範囲時間を３分に設定する。処理完了後、範囲時間の計算処理手順を終了する。
Ｓ１１１４では、情報記憶部３０９に記録されている範囲時間を２分に設定する。処理完了後、範囲時間の計算処理手順を終了する。
【００５２】
Ｓ１１１５では、Ｓ１１０５で更新した連続実施カウンタが１０回未満であるかの判断を行い、１０回未満である場合にはＳ１１１８へ、そうでない場合にはＳ１１１６へ処理を分岐する。
Ｓ１１１６では、Ｓ１１０５で更新した連続実施カウンタが１０回以上２０回未満であるかの判断を行い、１０回以上２０回未満である場合にはＳ１１１９へ、そうでない場合にはＳ１１１７へ処理を分岐する。
Ｓ１１１７では、Ｓ１１０５で更新した連続実施カウンタが２０回以上であるかの判断を行い、２０回以上である場合にはＳ１１２０へ、そうでない場合にもＳ１１２０へ処理を分岐する。
【００５３】
Ｓ１１１８では、情報記憶部３０９に記録されている範囲時間を２分に設定する。処理完了後、範囲時間の計算処理手順を終了する。
Ｓ１１１９では、情報記憶部３０９に記録されている範囲時間を２分に設定する。処理完了後、範囲時間の計算処理手順を終了する。
Ｓ１１２０では、情報記憶部３０９に記録されている範囲時間を１分に設定する。処理完了後、範囲時間の計算処理手順を終了する。
【００５４】
Ｓ１１２１では、Ｓ１１０５で更新した連続実施カウンタが１０回未満であるかの判断を行い、１０回未満である場合にはＳ１１２４へ、そうでない場合にはＳ１１２２へ処理を分岐する。
Ｓ１１２２では、Ｓ１１０５で更新した連続実施カウンタが１０回以上２０回未満であるかの判断を行い、１０回以上２０回未満である場合にはＳ１１２５へ、そうでない場合にはＳ１１２３へ処理を分岐する。
Ｓ１１２３では、Ｓ１１０５で更新した連続実施カウンタが２０回以上であるかの判断を行い、２０回以上である場合にはＳ１１２６へ、そうでない場合にもＳ１１２６へ処理を分岐する。
【００５５】
Ｓ１１２４では、情報記憶部３０９に記録されている範囲時間を１分に設定する。処理完了後、範囲時間の計算処理手順を終了する。
Ｓ１１２５では、情報記憶部３０９に記録されている範囲時間を１分に設定する。処理完了後、範囲時間の計算処理手順を終了する。
Ｓ１１２６では、情報記憶部３０９に記録されている範囲時間を０分に設定する。処理完了後、範囲時間の計算処理手順を終了する。
【００５６】
本実施形態では、カウンタ回数を「１０回未満」、「１０回以上２０回未満」、「２０回以上」の３つに分類し、それぞれ場合により範囲時間を「４分」、「２分」、「１分」、「０分」として記載するが、カウンタ回数の分類、範囲時間はこれに限ったものではない。
【００５７】
図５、図６、図７、図８、図１１のような処理フローにより、最後に実施された放置後メンテナンス動作と、放置後メンテナンス動作の回数を考慮した範囲時間を設定することができる。これにより、上記実施形態１及び２の効果をともに得ることができるようになる。結果的に、画像形成装置の状態を考慮しながら、省エネ移行／復帰の回数を低減できるため、省電力効果を向上させることができる。
【００５８】
上記各実施形態は、時間を条件として省エネモードから復帰した際に、他に省エネモードから復帰している必要のある時間が、画像形成装置の状態から求められる範囲時間にある場合には、復帰処理と合わせて実施することで、省エネモードへの移行、復帰処理を減らすことにより省エネ効率を高めることが可能になっている。なお、上述した説明から明らかなように、この技術的思想の適用範囲は画像形成装置に限定されない。種々の電子機器に適用可能である。
【符号の説明】
【００５９】
２０３    印刷装置
３０１    パネル入力部
３０６    演算部
３０７    印刷装置状態判断部
３０８    印刷装置モード制御部
３０９    情報記憶部
３１０    時間管理部
３１１    起動管理部
４０５    記録ヘッド
【先行技術文献】
【特許文献】
【００６０】
【特許文献１】特開２００７−３０１８４１号公報
【特許文献２】特開２００７−０６０１５０号公報
【図１】
2013123842.tif 000003
【図２】
2013123842.tif 000004
【図３】
2013123842.tif 000005
【図４】
2013123842.tif 000006
【図５】
2013123842.tif 000007
【図６】
2013123842.tif 000008
【図７】
2013123842.tif 000009
【図８】
2013123842.tif 000010
【図９】
2013123842.tif 000011
【図１０】
2013123842.tif 000012
【図１１】
2013123842.tif 000013